(57)【要約】【課題】ＦＭ−ＣＷ方式と位相比較モノパルス方式を用いたレーダ装置において、対象物までの距離と相対速度と方位の正確な認識を可能とする。【解決手段】レーダ装置は、周波数変調した送信波を対象物に照射する送信手段と、対象物からの反射波を受信する複数の受信手段と、反射波を送信波と混合してビート信号を生成するビート信号生成手段と、前記ビート信号の零クロス点を検出して方位検出用の位相を求める位相計測手段とを含む。振動波形において検出が容易で確実に計測が行われる零クロス点に着目し、ビート信号の零クロス点Ｐ１，Ｐ２を検出して方位検出用の位相τを求める。また、周波数波形のピーク周波数から所定の帯域幅以外の周波数成分をカットするピークバンドパスフィルタ手段と、その出力波形を逆フーリエ変換した新たなビート信号を用いて零クロス点の検出を行うこともできる。【選択図】  図２
2005009950.tif 000002
【特許請求の範囲】
【請求項１】
ＦＭ−ＣＷ方式を用いて対象物までの距離とその対象物の相対速度を検出し、位相モノパルス方式を用いて位相比較により前記対象物の方位を求めるレーダ装置において、
周波数変調した送信波を対象物に照射する送信手段と、
対象物からの反射波を受信する複数の受信手段と、
反射波を送信波と混合してビート信号を生成するビート信号生成手段と、
前記ビート信号の零クロス点を検出して方位検出用の位相を求める位相計測手段と、を含むことを特徴とするレーダ装置。
【請求項２】
前記位相計測手段は、前記ビート信号の零クロス点を検出して方位検出用の位相を求めることに替えて、前記ビート信号の周波数スペクトルにおけるピーク周波数の位相から方位検出用の位相を求める請求項１に記載のレーダ装置。
【請求項３】
前記位相計測手段は、零クロス点の検出を行う前に前記ビート信号から雑音を除去する雑音除去手段を含む請求項１に記載のレーダ装置。
【請求項４】
周波数波形のピーク周波数から所定の帯域幅以外の周波数成分をカットするピークバンドパスフィルタ手段と、
前記ピークバンドパスフィルタ手段の出力波形を時間領域信号にする逆フーリエ変換手段と、をさらに含み、
前記ビート信号に前記ピークバンドパスフィルタ手段及び逆フーリエ変換手段による処理を施した新たなビート信号を用いて前記零クロス点の検出を行う請求項１に記載のレーダ装置。
【請求項５】
前記ビート信号に所定の周波数帯域ごとに区切ったバンドパスフィルタをかけてそれぞれの信号を出力する手段をさらに含み、
前記ビート信号に前記フィルタ処理して出力された新たなビート信号からピーク周波数を求めて対象物までの距離と相対速度を求めるとともに、
前記新たなビート信号の零クロス点を検出して位相を求めて対象物の方位を求める請求項１に記載のレーダ装置。
【請求項６】
前記ビート信号に所定の周波数帯域ごとに区切ったバンドパスフィルタをかけてそれぞれの信号を出力する手段をさらに含み、
前記ビート信号に前記フィルタ処理して出力された新たなビート信号からピーク周波数を求めて対象物までの距離と相対速度を求めるとともに、
前記新たなビート信号の周波数波形に前記ピークバンドパスフィルタ手段及び逆フーリエ変換手段による処理を施して出力されたさらに新たなビート信号の零クロス点を検出して位相を求めて対象物の方位を求める請求項４に記載のレーダ装置。
【発明の詳細な説明】
【０００１】
【発明の属する技術分野】
本発明は、対象物までの距離と対象物の相対速度、及び方位を求めるレーダ装置に関する。
【０００２】
【従来の技術】
従来、対象物までの距離とその相対速度を求める技術としてＦＭ−ＣＷレーダ技術が知られており、また、その対象物の方位を求める技術としてモノパルスレーダ技術が知られている。変調を行わない連続波（ＣＷ）レーダは、送受信信号間におけるドップラ周波数を計測して対象物の相対速度を精度良く計ることができるが距離計測ができない。ＦＭ−ＣＷレーダは、ＣＷレーダの長所をあまり損なわずに、距離を計測出来るようにしたものであり、ＣＷ信号に周波数変調（ＦＭ）を施した送信信号（送信波）を用いる。また、モノパルス方式のレーダは、１つのビーム位置で、１つのパルス（モノパルス）を処理して方位情報を得るものである。この方式は、受信時刻の異なる複数のビームを走査して計測する場合のような時間的な変動の影響を受けないため、高い方位精度が得られる。モノパルス方式には、振幅を検出する方式（振幅比較モノパルス）と位相を検出する方法（位相比較モノパルス）がある。
【０００３】
ＦＭ−ＣＷ方式を用いた距離及び相対速度の測定について説明する。図１０は従来及び本発明におけるＦＭ−ＣＷレーダの動作原理を示す。送信波ＷＯは、図１０の上段に示すように、周期１／ｆｍの三角波に従って、その周波数が増大と減少を繰り返すようにＦＭ変調される。このような送信波ＷＯが送信波源に近づく対象物によって反射されると、その反射波ＷＩは、ドップラ効果によってドップラ周波数ｆｄだけ増加する。従って、送信波ＷＯと反射波ＷＩの周波数の差（の絶対値）、すなわちビート周波数ｆｂは、ＦＭ変調におけるＦＭ周波数が増加する変調区間でｆｂ＝｜ｆｒ−ｆｄ｜、減少する区間でｆｂ＝ｆｒ＋ｆｄとなる。ここでｆｒは、対象物との相対速度が無い場合のビート周波数である。
【０００４】
また、送信波ＷＯと反射波ＷＩの時間遅れΔｔは、レーダ波が対象物までの距離Ｒを往復する時間であり、光速Ｃを用いて、Δｔ＝２Ｒ／Ｃとなる。これにより、距離Ｒが、Ｒ＝Δｔ／２Ｃと求まる。また、図１０から分かるように、Δｔ＝ｆｒ／２ｆｍ／Δｆの関係があるので、ビート周波数ｆｒが求まると距離が求まる。また、後述するように、送信波源の近傍に設けた複数のアンテナにより反射波を受信して、複数のビート信号を得て、そのビート信号の位相差から対象物の方位が求められる。
【０００５】
ＦＭ−ＣＷレーダ装置構成とその動作を説明する。図１１は距離及び相対速度測定用のＦＭ−ＣＷレーダ装置１００の構成を示す。まず、ＦＭ変調器１０１は送信波を三角波で周波数変調する。周波数変調された送信波ＷＯは発振器１０２を経由して、送信アンテナ１０７から検知対象物に向けて放射される。検知対象物からの反射波ＷＩが受信アンテナ１０８で受信される。受信信号と送信信号がミキサ１０９においてミキシングされる。ミキサ１０９の出力であるビート信号Ｓｂが周波数・位相計測器１１０に導かれて、ビート信号Ｓｂからビート周波数ｆｂスペクトルが得られる。ビート信号Ｓｂには目的信号以外のノイズが含まれているため、ピーク検出器１０４により、ビート周波数ｆｂスペクトルから目的のピーク周波数、ｆｒ−ｆｄ（＝ｆｂ１）、ｆｒ＋ｆｄ（＝ｆｂ２）を判定して検出する。
【０００６】
続いて、距離演算器１０６において、前記変調周波数の増加する区間のビート周波数ｆｂ１と減少する区間のビート周波数ｆｂ２を用いて、次式により、対象物までの距離Ｒと対象物の相対速度Ｖが計算される。距離Ｒ＝Ａ（ｆｂ１＋ｆｂ２）／２、相対速度Ｖ＝Ｂ（ｆｂ１・ｆｂ２）／２、ただし、Ａ、Ｂは定数である。以上のように、ＦＭ−ＣＷ方式のレーダでは、対象物までの距離とビート周波数が比例しているので、距離・速度特性を解析するには受信器出力におけるビート周波数を解析すればよい。
【０００７】
距離及び相対速度を測定するレーダ装置の使用状況を説明する。図１２は装置の概略平面配置を示す。アンテナＳからの送信波を用いて領域Ａに存在する対象物３の距離Ｒが測定される。従来、送信アンテナＳを備えた送信系１つ、受信アンテナ１を備えた受信系１つを有して、送信アンテナＳと受信アンテナ１による送受信信号により距離Ｒを検知し、検知対象物の位置を検出するレーダ装置が一般的である。送信から受信までの時間から距離Ｒは求めることができるが、検知対象物３の方位を求めることはできない。
【０００８】
方位計測について説明する。図１３は従来及び本発明の距離、相対速度、方位計測レーダの概略配置を示す。方位を検出するレーダの１方式として前述の位相比較モノパルス方式レーダがある。位相比較モノパルス方式は、図１３に示すように、対象物３からの反射波を２個以上の受信アンテナ１、２で受信する方式である。受信アンテナ１、２の位置が互いに異なるので、受信アンテナ１、２間で角度差が生じる。この角度差を検出することで検知対象物の方位θを検出することができる。そのためビーム走査をすることなく方位θの検出が可能である。
【０００９】
方位θの導出について説明する。２つの受信アンテナ１、２間の距離ｄ、検知対象物３の方位θ、レーダ波の波長λに対し、２つの受信アンテナ１、２が受信する信号の位相差Δφは次式で表される。△φ＝ｄ・ｓｉｎθ／λ。従って、対象物３の方位θは、θ＝ａｒｃｓｉｎ（△φ・λ／ｄ）となる。このようにして受信信号の位相差Δφから対象物３の方位θを求めることができる。なお、ここでいう位相差Δφは、１波長（λ）に対するレーダ波の経路差（ｄ・ｓｉｎθ）の割合として定義されている。上記のようなＦＭ−ＣＷ方式と位相比較モノパルス方式のレーダの応用として、自動車レーダ装置に用いるものが知られている（例えば、特許文献１参照）。
【００１０】
【特許文献１】
特開平１１−２７１４３３号公報
【００１１】
【発明が解決しようとする課題】
しかしながら、上述した図１０〜図１３や特許文献１に示されるようなレーダ装置において、さらに精度良く対象物の位置や運動状態を求めることが要求されている。例えば、道路走行中の車両が他の車両や環境物の相対運動状態を把握する場合のように、複数の対象物がほぼ同様の距離や位置、及び方位で存在している複雑な状況において、より測定精度が高く、かつ信頼性のあるレーダが必要とされる。
【００１２】
本発明は、上記課題を解消するものであって、ＦＭ−ＣＷ方式と位相比較モノパルス方式を用いて検知対象物までの距離と相対速度と方位を正確に認識できる具体的なデータ処理方法を備えたレーダ装置を提供することを目的とする。
【００１３】
【課題を解決するための手段】
上記課題を達成するために、請求項１の発明は、ＦＭ−ＣＷ方式を用いて対象物までの距離とその対象物の相対速度を検出し、位相モノパルス方式を用いて位相比較により前記対象物の方位を求めるレーダ装置において、周波数変調した送信波を対象物に照射する送信手段と、対象物からの反射波を受信する複数の受信手段と、反射波を送信波と混合してビート信号を生成するビート信号生成手段と、前記ビート信号の零クロス点を検出して方位検出用の位相を求める位相計測手段と、を含むレーダ装置である。
【００１４】
請求項２の発明は、請求項１に記載のレーダ装置において、前記位相計測手段は、前記ビート信号の零クロス点を検出して方位検出用の位相を求めることに替えて、前記ビート信号の周波数スペクトルにおけるピーク周波数の位相から方位検出用の位相を求めるものである。
【００１５】
請求項３の発明は、請求項１に記載のレーダ装置において、前記位相計測手段は、零クロス点の検出を行う前に前記ビート信号から雑音を除去する雑音除去手段を含むものである。
【００１６】
請求項４の発明は、請求項１に記載のレーダ装置において、周波数波形のピーク周波数から所定の帯域幅以外の周波数成分をカットするピークバンドパスフィルタ手段と、前記ピークバンドパスフィルタ手段の出力波形を時間領域信号にする逆フーリエ変換手段とをさらに含み、前記ビート信号に前記ピークバンドパスフィルタ手段及び逆フーリエ変換手段による処理を施した新たなビート信号を用いて前記零クロス点の検出を行うものである。
【００１７】
請求項５の発明は、請求項１に記載のレーダ装置において、前記ビート信号に所定の周波数帯域ごとに区切ったバンドパスフィルタをかけてそれぞれの信号を出力する手段をさらに含み、前記ビート信号に前記フィルタ処理して出力された新たなビート信号からピーク周波数を求めて対象物までの距離と相対速度を求めるとともに、前記新たなビート信号の零クロス点を検出して位相を求めて対象物の方位を求めるものである。
【００１８】
請求項６の発明は、請求項４に記載のレーダ装置において、前記ビート信号に所定の周波数帯域ごとに区切ったバンドパスフィルタをかけてそれぞれの信号を出力する手段をさらに含み、前記ビート信号に前記フィルタ処理して出力された新たなビート信号からピーク周波数を求めて対象物までの距離と相対速度を求めるとともに、前記新たなビート信号の周波数波形に前記ピークバンドパスフィルタ手段及び逆フーリエ変換手段による処理を施して出力されたさらに新たなビート信号の零クロス点を検出して位相を求めて対象物の方位を求めるものである。
【００１９】
【発明の実施の形態】
以下、本発明の一実施形態に係るレーダ装置について、図面を参照して説明する。図１はＦＭ−ＣＷ方式と位相比較モノパルス方式を用いるレーダ装置１０のブロック構成を示す。信号の流れに沿って説明する。まず、ＦＭ変調器１０１において信号波が三角波で周波数変調（ＦＭ変調）される。ＦＭ−ＣＷ波とされた信号波が、発振器１０２、及び送信アンテナ１０７を介して対象物に向けて放射される。信号波は検知対象物にあたり、そこからの反射信号が２つの受信アンテナ１０８、２０８で受信される。受信信号と送信信号がミキサ１０９、２０９においてミキシングされ、各ミキサ１０９、２０９からのビート信号出力が、周波数計測器１０３、２０３に送られ、そこで各々のビート信号のビート周波数が計測される。続くピーク検出器１０４において、ビート周波数分布におけるピーク周波数、ｆｒ−ｆｄ（＝ｆｂ１）、ｆｒ＋ｆｄ（＝ｆｂ２）が求められ、距離・速度演算器１０６によって対象物までの距離Ｒ及び相対速度Ｖが、前出の式Ｒ＝Ａ（ｆｂ１＋ｆｂ２）／２、Ｖ＝Ｂ（ｆｂ１・ｆｂ２）／２を用いて求められる。２つの受信信号の検出距離の平均値が対象物までの距離とされる。
【００２０】
また、前記ミキサ１０９、２０９のビート信号出力から位相が求められ、位相演算器１０５において、それらの位相差Δφにより、前出の式θ＝ａｒｃｓｉｎ（△φ・λ／ｄ）を用いて方位（方位角）θが計算される。
【００２１】
ビート信号出力から位相を求める方法について説明する。図２は前記２つのミキサ１０９、２０９からのビート信号出力を示している。２つの受信アンテナ１０８、２０８で受信された信号によるビート信号Ｓｂ１，Ｓｂ２間に位相差Δφに基づく波形変動の時間差τが生じている。図２に示すように、複数波形の対応する点、例えば零クロス点Ｐ１、Ｐ２の掃引時刻を検出して時間差τを検出することができる。位相差Δφは、ビート波形Ｓｂ１，Ｓｂ２の周期Ｔに対する時間差τの割合として定義されるので、Δφ＝τ／Ｔとして求めることができる。このような零クロス点の検出、及び位相差Δφの演算が、図１に示す位相演算器１０５において行われ、さらに、位相差Δφを用いて方位θが求められる。
【００２２】
次に、本発明の一実施形態に係る他のレーダ装置について説明する。図３はＦＭ−ＣＷ方式と位相比較モノパルス方式を用いるレーダ装置２０のブロック構成を示す。対象物の距離・速度の計測に関して、ＦＭ変調器１０１から、距離・速度演算器１０６に至る構成、信号の流れは、前出の図１に示すものと同様であり、説明を省略する。レーダ装置２０において、ビート信号の位相の検出は、図３に示すように、周波数・位相計測器１１０、２１０において行われる。また、位相演算器１０５は、前出の図１に示したものと異なりミキサ１０９、２０９の直後ではなく、ピーク検出器１０４、２０４の後に接続されている。
【００２３】
ビート信号の位相の検出について説明する。図４は位相差検出動作を示す。周波数・位相計測器１１０、２１０において、２つの受信波に対するビート信号の位相がそれぞれ検出される。ピーク検出器１０４、２０４において、ピーク周波数ｆｐ１，ｆｐ２に相当する位相φ１、φ２が決定される。これらの位相情報をもとに、位相演算器１０５において、位相差△φ＝φ１−φ２が求められ、さらに対象物の方位が求められる。また、対象物が複数ある場合、各対象物に対応してピーク信号が発生する。この場合、ピーク信号に対応して位相φを決定することで各対象物毎の位相φを得ることができる。従って、このような位相検出、及び方位計測の手法は、対象物が複数ある場合に有効である。
【００２４】
次に、ビート信号の前処理について説明する。図５は雑音除去フィルタリング処理を示す。レーダ装置の実際の作動環境において、ほとんどの場合、受信波は図５の上段に示すように、雑音が入った信号になる。このままの状態で零クロス法を適用して位相を求めるのでは正確な位相の検出ができないので、雑音除去を行って対応する。雑音除去の手法として、例えば移動平均を施す手法が挙げられる。
【００２５】
次に、本発明の一実施形態に係るさらに他のレーダ装置について説明する。図６はＦＭ−ＣＷ方式と位相比較モノパルス方式を用いるレーダ装置３０のブロック構成を示す。対象物の距離・速度の計測に関して、前出の図１、又は図３に示すものと同様であり、説明を省略する。レーダ装置３０において、ビート信号の位相の検出と方位の算出は、ピーク検出器１０４、２０４の後に接続されたバンドパスフィルタ１１１、逆フーリエ変換器１１２、及び位相演算器１０５によって行われる。
【００２６】
図７は、レーダ装置３０において、ビート信号から位相を検出する処理にともなう信号の変化を示す。まず、図７（ａ）（ｂ）に示すように、ピーク検出器１０４，２０４において、ビート信号Ｓｂからピーク検出が行われる（時間領域表現から周波数領域表現への変換）。次に、バンドパスフィルタ１１１は、図７（ｂ）（ｃ）に示すように、ビート周波数ｆｂスペクトルにおけるピークについて、そのピーク周波数から所定の滞域幅以外の周波数振幅をカットするバンドパスフィルタをかけて不規則雑音を除去する。
【００２７】
続いて、逆フーリエ変換器１１２は、図７（ｃ）（ｄ）に示すように、ビート周波数ｆｂスペクトルに逆フーリエ変換を施して、時間領域の新たなビート信号Ｓｂにする。この不規則雑音が除去された新たなビート信号は、検知対象物の距離に相当する周波数成分のみを含んでいる。次に、位相演算器１０５において、このビート信号に対し前出の図２に示した零クロス法を適用して位相差Δφが検出され、方位角θが求められる。このような位相検出、及び方位計測の手法は、対象物が複数ある場合に有効である。
【００２８】
次に、本発明の一実施形態に係るさらに他のレーダ装置について説明する。図８はＦＭ−ＣＷ方式と位相比較モノパルス方式を用いるレーダ装置４０のブロック構成を示す。ＦＭ変調器１０１において生成したＦＭ−ＣＷ波からなる信号波の放射、反射波の受信、さらにミキサ１０９，２０９におけるミキシングによるビート信号の生成までは、前出のいずれかの図に示すものと同様である。
【００２９】
ミキサ１０９，２０９において生成されたビート信号は、複数のバンドパスフィルタ１１３においてフィルタ処理される。このバンドパスフィルタ１１３，２１３は、ビート周波数の全域を所定の周波数帯域ごとに区切り、各周波数帯域内で指定領域外の周波数成分をカットするものである。次に、周波数計測器１０３、２０３において、このバンドパスフィルタ１１３，２１３でフィルタ処理された各帯域毎のビート信号についてビート周波数が求められる。次に、ピーク検出器１０４、２０４において、このビート周波数からピーク周波数が求められる。対象物の距離と速度が、距離・速度演算器１０６によってピーク周波数を用いて求められる。２つの受信信号の検出距離の平均値が対象物までの距離とされる。
【００３０】
ビート信号から位相、及び方位角を検出する処理について説明する。レーダ装置４０は、バンドパスフィルタ１１３，２１３、及びピーク検出器１０４、２０４の後段にビート信号選択器１１４を備えている。このビート信号選択器１１４は、バンドパスフィルタ１１３，２１３においてフィルタ処理された新たなビート信号の中から、前段のピーク検出器で検出したピーク周波数に対応するビート信号を抽出する。次に、位相演算器１０５において、ビート信号選択器１１４より抽出されたビート信号に対し、前出の図２に示した零クロス法を適用して位相差Δφが検出され、方位角θが求められる。これにより、検知対象物の距離に相当するビート信号のみが抽出されるため、不規則雑音を排除して正確な方位を求めることができる。このような位相検出、及び方位計測の手法は、対象物が複数ある場合に有効である。
【００３１】
次に、本発明の一実施形態に係るさらに他のレーダ装置について説明する。図９はＦＭ−ＣＷ方式と位相比較モノパルス方式を用いるレーダ装置５０のブロック構成を示す。対象物の距離・速度の計測に関して、ＦＭ変調器１０１から、距離・速度演算器１０６に至る構成、信号の流れは、前出の図８に示すものと同様であり、説明を省略する。
【００３２】
レーダ装置５０は、バンドパスフィルタ１１３，２１３、及びピーク検出器１０４、２０４の後段にビート周波数選択器１１５を備えている。ビート周波数選択器１１５は、バンドパスフィルタ１１３，２１３においてフィルタ処理された新たなビート信号の中から、前段のピーク検出器で検出したピーク周波数に対応するビート周波数を抽出する。次に、逆フーリエ変換器１１２において、ビート周波数に逆フーリエ変換が施され、時間領域の新たなビート信号とされる。この不規則雑音が除去された新たなビート信号は、検知対象物の距離に相当する周波数成分のみを含んでいる。次に、位相演算器１０５において、このビート信号に対し前出の図２に示した零クロス法を適用して位相差Δφが検出され、方位角θが求められる。このような位相検出、及び方位計測の手法は、対象物が複数ある場合に有効である。なお、本発明は、上記構成に限られることなく種々の変形が可能である。
【００３３】
【発明の効果】
以上のように請求項１の発明によれば、正負値をとって振動する振動波形において検出が容易で確実に計測が行われる零クロス点に着目し、ビート信号の零クロス点を検出して方位検出用の位相を求める位相計測手段を備えるので、対象物の方位の検出がより正確なレーダ装置を実現できる。
【００３４】
また、請求項２の発明によれば、ビート信号の周波数スペクトルにおけるピーク周波数の位相から方位検出用の位相を求めるので、雑音成分に対する位相を除いて主要な位相を計測することができる。
【００３５】
また、請求項３の発明によれば、雑音による変動の少ない安定した零クロス点の検出を行うことができる。
【００３６】
また、請求項４の発明によれば、バックグラウンドとなる周波数成分を取り除く処理を事前に行った新たなビート信号を用いるので、変動の少ない安定した零クロス点の検出を行うことができる。
【００３７】
また、請求項５の発明によれば、ビート信号の一連の各周波数帯に対し、それぞれ適正化したフィルタを用いてフィルタ処理を行うことができるので、変動の少ない安定したピーク周波数と零クロス点の検出を行うことができる。
【００３８】
また、請求項６の発明によれば、上記作用効果がより一層高まる。
【図面の簡単な説明】
【図１】本発明の一実施形態に係るレーダ装置の構成図。
【図２】同上レーダ装置における位相検出動作の説明図。
【図３】本発明の一実施形態に係る他のレーダ装置の構成図。
【図４】（ａ）（ｂ）は同上レーダ装置における位相検出動作の説明図。
【図５】同上レーダ装置におけるビート信号雑音除去処理動作の説明図。
【図６】本発明の一実施形態に係るさらに他のレーダ装置の構成図。
【図７】同上レーダ装置におけるビート信号処理動作の説明図。
【図８】本発明の一実施形態に係るさらに他のレーダ装置の構成図。
【図９】本発明の一実施形態に係るさらに他のレーダ装置の構成図。
【図１０】従来のＦＭ−ＣＷレーダ装置の構成図。
【図１１】従来及び本発明におけるＦＭ−ＣＷレーダの基本動作説明図。
【図１２】従来の距離及び相対速度を測定するレーダ装置の概略図。
【図１３】従来及び本発明の距離、相対速度、方位計測レーダの概略図
【符号の説明】
１０、２０、３０、４０、５０  レーダ装置
１０１  ＦＭ変調器
１０２  発振器
１０３、２０３  周波数計測器
１０４、２０４  ピーク検出器
１０５  位相演算器
１０７  送信アンテナ
１０８、２０８  受信アンテナ
１０９、２０９  ミキサ
１１０、２１０  周波数・位相計測器
１１１  バンドパスフィルタ
１１２  逆フーリエ変換器
１１３  バンドパスフィルタ
１１４  ビート信号選択器
１１５  ビート周波数選択器
【図１】
2005009950.tif 000003
【図２】
2005009950.tif 000004
【図３】
2005009950.tif 000005
【図４】
2005009950.tif 000006
【図５】
2005009950.tif 000007
【図６】
2005009950.tif 000008
【図７】
2005009950.tif 000009
【図８】
2005009950.tif 000010
【図９】
2005009950.tif 000011
【図１０】
2005009950.tif 000012
【図１１】
2005009950.tif 000013
【図１２】
2005009950.tif 000014
【図１３】
2005009950.tif 000015